(57)【要約】【課題】  例えばガラス製のショーケースにおいて、そのケース本体の前面開口部にガラス製の開閉扉を自動的に昇降開閉させるものでありながら、その開閉扉以外の露出部材をなくしてガラス特有の美的外観を向上させることができ、しかも、南京錠や組み込み錠機構などを必要とせずに開閉扉のロック機能を得ることができて防盗性を確保することができるショーケースを提供することにある。【解決手段】  前面が開口したケース本体１と、このケース本体１が載置固定されたボックス基台３と、前記ケース本体１の前面開口部の高さよりも上下方向に長く形成され、かつ前記ボックス基台３に設けられた扉出入口４を介して前記ケース本体１の前面開口部を昇降開閉する開閉扉２と、前記ボックス基台３の内部に配置され、かつ前記開閉扉２の下端側が連結されて当該開閉扉２の昇降方向に伸縮可能な伸縮ガイド機構５と、この伸縮ガイド機構を昇降方向に駆動する扉開閉駆動機構１１とを備えたものである。【選択図】        図２
2005188144.tif 000002
【特許請求の範囲】
【請求項１】
開閉扉を出入させる扉出入口を有するボックスと、このボックス内部に配置されて前記開閉扉の基端側が連結され、その開閉扉のスライド開閉方向に沿って伸縮可能な伸縮ガイド機構と、この伸縮ガイド機構を伸縮方向に駆動する扉開閉駆動機構とを備え、その扉開閉駆動機構による前記伸縮ガイド機構の伸長作動によって前記ボックスの出入口から前記開閉扉のみが延出するように構成したことを特徴とする開閉装置。
【請求項２】
前面が開口したケース本体と、このケース本体が載置固定されたボックス基台と、前記ケース本体の前面開口部の高さよりも上下方向に長く形成され、かつ前記ボックス基台に設けられた扉出入口を介して前記ケース本体の前面開口部を昇降開閉する開閉扉と、前記ボックス基台の内部に配置され、かつ前記開閉扉の下端側が連結されて当該開閉扉の昇降方向に伸縮可能な伸縮ガイド機構と、この伸縮ガイド機構を昇降方向に駆動する扉開閉駆動機構とを備えて成ることを特徴とすることを特徴とするショーケース。
【請求項３】
開閉扉はケース本体と非接触で昇降駆動されるようになっていることを特徴とする請求項１記載のショーケース。
【発明の詳細な説明】
【技術分野】
【０００１】
この発明は、例えばガラス等の透明板からなる開閉扉を自動的に開閉駆動する開閉装置及びその開閉装置を備えたショーケースに関するものである。
【背景技術】
【０００２】
貴金属や宝石等を収納展示するショーケースにおいて、その美的外観を得るために全体をガラス製としたものは周知である。このような従来のガラス製ショーケースでは、ガラスケースの開口部に取り付けたガラス扉を片開き式や両開き式あるいは引き違い式としているのが殆どである。したがって、前記ガラス扉は、蝶番や上下のガイドレールによる取り付け構造となっており、また、防盗の点に関しても南京錠や組み込み錠機構などによって行っているのが実状である。
【０００３】
また、美術館や博物館などの展示ケースにおいて、その前面上部に昇降パネルを設置し、展示物があるときは前記パネルを展示ケースの上部に上昇退避させ、展示物がないときは前記パネルを下降させて展示ケースを隠蔽すべく、前記パネルをワイヤロープやチェーン等の索条で吊持し、この索条を機械的に巻き上げ・巻き戻すことによって、前記パネルを昇降駆動する構成としたものも既に知られている（例えば、特許文献１参照）。
【０００４】
【特許文献１】特開平９−９８８５５号公報（第２頁、図１，２）
【発明の開示】
【発明が解決しようとする課題】
【０００５】
従来のショーケースは以上のように構成されているので、ガラスケースの開口部にガラス扉を取り付けている蝶番や上下のガイドレール等がガラスを透して外部に露出する結果となり、このため、ショーケース自体の美的外観が損なわれ、かつ商品価値が低減するという課題があった。さらには、防盗の点でも南京錠や組み込み錠機構によってガラス扉をロックする構成としているが、このようなロック手段では今や容易にキーピングされ易いという課題があった。また、ガラス扉の開閉の都度、人為的なキー操作によって施錠及び解錠を行わなければならず、このような施錠・解錠操作は面倒という課題もあった。
一方、特許文献１に開示された昇降パネルの昇降機構をガラス製ショーケースのガラス扉に適用することも考えられるが、この場合、前記昇降機構自体が大がかりで大型化するのみならず、特にガラス扉をワイヤロープやチェーン等の索条で吊持したのでは、その索条がショーケースの前面に露出する結果となるので、特許文献１のパネル昇降機構をガラス製ショーケースに転用することは全く不可能である。
【０００６】
この発明は上記のような課題を解決するためになされたもので、開閉扉の閉鎖位置では開閉扉以外の部材が露出することのない構成として美的外観を向上させることができる開閉装置を提供することを目的とする。
【０００７】
また、この発明は、例えばガラス製のショーケースにおいて、そのケース本体の前面開口部にガラス製の開閉扉を自動的に昇降開閉させるものでありながら、その開閉扉以外の露出部材をなくしてガラス特有の美的外観を向上させることができ、しかも、南京錠や組み込み錠機構などを必要とせずに開閉扉のロック機能を得ることができて防盗性を確保することができるショーケースを提供することを目的とする。
【０００８】
さらに、この発明は、開閉扉を騒音なくスムーズに昇降開閉させることができるショーケースを提供することを目的とする。
【課題を解決するための手段】
【０００９】
この発明に係る開閉装置は、開閉扉を出入させる扉出入口を有するボックスと、このボックス内部に配置されて前記開閉扉の基端側が連結され、その開閉扉のスライド開閉方向に沿って伸縮可能な伸縮ガイド機構と、この伸縮ガイド機構を伸縮方向に駆動する扉開閉駆動機構とを備え、その扉開閉駆動機構による前記伸縮ガイド機構の伸長作動によって前記ボックスの出入口から前記開閉扉のみが延出するように構成したものである。
【００１０】
また、この発明に係るショーケースは、前面が開口したケース本体と、このケース本体が載置固定されたボックス基台と、前記ケース本体の前面開口部の高さよりも上下方向に長く形成され、かつ前記ボックス基台に設けられた扉出入口を介して前記ケース本体の前面開口部を昇降開閉する開閉扉と、前記ボックス基台の内部に配置され、かつ前記開閉扉の下端側が連結されて当該開閉扉の昇降方向に伸縮可能な伸縮ガイド機構と、この伸縮ガイド機構を昇降方向に駆動する扉開閉駆動機構とを備えて成るものである。
【００１１】
さらに、この発明に係るショーケースは、開閉扉をケース本体と非接触で昇降駆動させるようにしたものである。
【発明の効果】
【００１２】
この発明の開閉装置によれば、開閉扉の開閉方向に伸縮可能な伸縮ガイド機構をボックス内部に収納配置し、その伸縮ガイド機構に前記開閉扉の基端側を連結保持させ、前記伸縮ガイド機構を扉開閉駆動機構によって伸縮駆動させるように構成したので、前記開閉扉として例えばガラス板を適用した場合に、その開閉領域においてはガラス板（開閉扉）以外の露出部材がなくなり、このため、ガラス板特有の美的外観が向上するという効果がある。
【００１３】
また、この発明のショーケースによれば、ボックス基台上に載置固定されたケース本体の前面開口部を昇降開閉する開閉扉を、前記ケース本体の前面開口部の高さよりも上下方向に長く形成し、その開閉扉を前記ボックス基台の扉出入口に昇降自在に挿入し、その扉出入口から前記ボックス基台内に垂下する開閉扉の下端側を、前記ボックス基台内に収納配置されて開閉扉の昇降方向に伸縮可能な伸縮ガイド機構に連結保持させ、その伸縮ガイド機構を扉開閉駆動機構により伸縮駆動するように構成したので、前記ボックス基台の扉出入口からケース本体の前面開口部に開閉扉のみを昇降させることができ、その開閉扉以外のガイド部材等がケース本体側に一切露出することのないショーケースとすることができ、このため、そのショーケース全体（ケース本体と開閉扉）を例えばガラス製とした場合、ガラス特有の美的外観が向上するという効果がある。また、前記開閉扉を閉止位置では扉開閉駆動機構のインターロック機能によって自動的にロックされた状態となるので、従来のような南京錠や組み込み錠機構を一切必要とせず、しかも前記開閉扉をリモコン操作のみで容易に開閉することができるという効果がある。
【００１４】
さらに、この発明のショーケースでは、開閉扉をケース本体に対して非接触で昇降させるようにしたので、それらの開閉扉とケース本体との摺接に起因した軋み音や損傷等を防止できるという効果がある。
【発明を実施するための最良の形態】
【００１５】
実施の形態１．
図１はこの発明の実施の形態１によるショーケースを示す斜視図、図２は図１の縦断側面図、図３は図１の縦断平面図、図４は図３のＡ−Ａ線断面図である。
この発明のショーケースは、前面が開口した透明なケース本体１と、このケース本体１の前面開口部を昇降開閉する透明な開閉扉２と、前記ケース本体１が載置固定されたボックス基台３とを備えている。ここで、前記ケース本体１と開閉扉２のそれぞれは強化ガラス板からなり、前記ボックス基台３は金属板等の剛性板から構成されている。そして、前記ボックス基台３の上面壁には、ケース本体１の前面開口部に対して開閉扉２を昇降出入させるための扉出入口４が設けられている。ここで、前記開閉扉２は、前記ケース本体１の前面開口部の高さ寸法よりも上下方向に長く形成されており、その開閉扉２がボックス基台３の扉出入口４に対し昇降スライド自在に挿入されている。また、前記ボックス基台３内には、前記開閉扉２の下端部を保持して当該開閉扉２を昇降方向にガイドする伸縮ガイド機構５と、この伸縮ガイド機構５を介して前記開閉扉２を昇降駆動する扉開閉駆動機構１１が収納配置されている。
【００１６】
次に、前記伸縮ガイド機構５と扉開閉駆動機構１１の詳細な構成について説明する。
まず、伸縮ガイド機構５は、ボックス基台１の内部両側に直立配置された左右一対のガイドレール６と、これらのガイドレール６内にそれぞれ昇降摺動自在に嵌合されて縦方向（昇降方向）に延びる第１のスライド部材７と、このスライド部材７に昇降摺動自在に嵌合されて縦方向（昇降方向）に延びる第２のスライド部材８とからなり、第２のスライド部材８に対して前記開閉扉２の下端部を一体的に連結保持させるためのブラケット９を取り付けた構成となっている。さらに詳しく述べると、前記ガイドレール６は断面コ字形状をなし、そのコ字形状の開放端側をボックス基台３の内部両側で対向させて開閉扉２の昇降軌線に沿って直立するように配置されている。このような左右のガイドレール６内をそれぞれ昇降摺動する第１のスライド部材７は幅方向中心部に縦レール部７ａを有しており、この縦レール部７ａに第２のスライド部材８が昇降自在に嵌め込まれている。その第２のスライド部材８には、当該スライド部材８の下降位置で前記左右のガイドレール６のそれぞれの外側に位置する左右のブラケット９が取り付けられている。その左右のブラケット９には、両者に跨る扉取付用のブラケット１０が水平に取り付けられている。扉取付用のブラケット１０は垂直面を有しており、その垂直面に対して開閉扉２の下端側裏面が面接触状態で強力接着剤やネジ止め等の手段で一体的に結合してある。したがって、前記開閉扉２は、前記伸縮ガイド機構５およびブラケット１０によって常に垂直姿勢に保持され、前記ケース本体１に対して非接触の状態で昇降するようになっている。
【００１７】
次に、前記扉開閉駆動機構１１は、前記ボックス基台３内に配置された電磁ブレーキ付きの開閉機（以下、電磁モータという）１２と、この電磁モータ１２によって同期回転駆動される左右の無端ベルト（無端回転部材）２１，２２とを備え、それらの無端ベルト２１，２２に対して前記伸縮ガイド機構５上部側の第２のスライド部材８を連動させた構成となっている。さらに詳しく述べると、図２に示す伸縮ガイド機構５の最大伸長状態において、その最上部となる第２のスライド部材８の近傍には、当該スライド部材８をブラケット１０との間で挟む位置に水平回転軸１４が配置されている。この水平回転軸１４には、前記電磁モータ１２の出力軸に嵌着された主動スプロケット１３に対応する従動スプロケット１５が嵌着され、それらのスプロケット１３，１５に伝導チェーン１６が噛合巻回されて前記水平回転軸１４が電磁モータ１２で回転駆動されるようになっている。その電磁モータ１２はリモコンによって起動・停止制御されるようになっている。
【００１８】
また、前記水平回転軸１４の両端側にはベルト巻回用の上部プーリ１７，１９が嵌着され、これら上部プーリ１７，１９のそれぞれの真下には下部プーリ１８，２０が軸支配置され、その上部プーリ１７及び１９と下部プーリ１８及び２０とに無端ベルト２１及び２２が巻回されている。したがって、左右の無端ベルト２１，２２は、１基の電磁モータ１２によって垂直方向に同期回転駆動されるようになっている。そして、前記無端ベルト２１，２２のそれぞれと、前記伸縮ガイド機構５の最上部となる第２のスライド部材９に取り付けられたブラケット９とが接続具２３によって連結されている。なお、図２〜図４において、符号２４，２５はアイドラである。
【００１９】
次に動作について説明する。図５は動作説明図である。
図２に示すように、開閉扉２が閉じた状態において、リモコン操作により電磁モータ１２を図２中で反時計廻り方向に回転起動させると、その回転駆動力が伝導チェーン１６を介して水平回転軸１４に伝達されることで左右の無端ベルト２１，２２が図２中で反時計廻り方向に同期回転する。このとき、前記両無端ベルト２１，２２の下降側ベルト部に接続具２３で連結されたブラケット９が下降することにより、そのブラケット９と一体に開閉扉２が下降する。これによりケース本体１の前面開口部が開かれる。ここで、前記ブラケット９の下降時には、これと一体に第２のスライド部材８が下降し、これに伴って第１のスライド部材７が自重下降し、そのスライド部材７の下端がガイドレール６の内底部に当接した後においても、第２のスライド部材８が下降を継続することにより、その第２のスライド部材８と一体のブラケット９，１０を介して開閉扉２がケース本体１の前面開口部の全開位置までボックス基台３内に下降収納される。
【００２０】
このような開閉扉２の全閉状態から電磁モータ１２をリモコン操作で逆回転起動させると、無端ベルト２１によって伸縮ガイド機構５最上部の第２のスライド部材８と一体のブラケット９，１０が引き上げられ、これに追従して第１のスライド部材７が前記第２のスライド部材８で引き上げられることにより、開閉扉２が上昇してケース本体１の前面開口部を全閉する。なお、ボックス基台２内において、伸縮ガイド機構８の最大伸長位置（開閉扉２の全閉位置）および伸縮ガイド機構８の最短縮小位置（開閉扉２の全開位置）を検知するリミットスイッチ（図示せず）が配置され、そのリミットスイッチが伸縮ガイド機構５のスライド部材８もしくは７等の昇降可動部でＯＮされることにより、電磁モータ１２が自動停止するようになっているものである。
【００２１】
以上説明した実施の形態１によれば、ボックス基台３上に載置固定されたケース本体１の前面開口部を昇降開閉する開閉扉２を、前記ケース本体１の前面開口部の高さよりも上下方向に長く形成し、その開閉扉２を前記ケース本体１の扉出入口４に昇降スライド自在に挿入し、かつ前記ボックス基台３内には、前記開閉扉２の昇降方向に沿って伸縮可能な伸縮ガイド機構５を収納配置し、この伸縮ガイド機構５の最上部（スライド部材８）にブラケット１０を介して前記開閉扉２の下端側を連結保持させる共に、前記ボックス基台３内における前記伸縮ガイド機構５の近傍には当該伸縮ガイド機構５に沿って回転駆動される縦型の無端ベルト２１を配置し、この無端ベルト２１に前記伸縮ガイド機構５のスライド部材８を連結し、その無端ベルト２１を電磁モータ１２で正逆回転駆動するように構成したので、前記ボックス基台３上には前記ケース本体１と、このケース本体１の前面開口部を全閉する開閉扉２とが存在するのみであって、それら以外の部材等は何ら存在しないので、前記ケース本体１と開閉扉２をそれぞれ透明ガラスとした場合、ケース本体１内の展示物を鮮明に透視させることができ、ショーケースの美的外観が向上するという効果がある。
【００２２】
特に、この実施の形態１では、上述のように、開閉扉２の上下方向の長さをケース本体１の前面開口部の高さよりも長くしてボックス基台３の扉出入口４にスライド自在に挿入したことにより、ケース本体の前面開口部を全閉状態の開閉扉２の下端側はボックス基台１内に垂下した状態となるので、その開閉扉２の下端側をボックス基台３内の伸縮ガイド機構５に連結することができ、ボックス基台３上にはケース本体１および開閉扉２とは別の部材を露出させる必要の意匠的美観に優れたショーケースを得ることができるという効果がある。しかも、前記開閉扉２は、その下端側が伸縮ガイド機構５の最上部のブラケット１０の垂直面に面接触状態で結合されているので、前記開閉扉２を常に垂直状態でスムーズに昇降させることができるという効果がある。また、前記開閉扉２はケース本体１に対して非接触状態で昇降させるので、その両者の摺接に起因した軋み音や損傷等が生じる危惧もないという効果がある。なお、前記実施の形態１において、伸縮ガイド機構５の伸縮摺接部には軸受ボール（図示せず）が設けられており、これによって、伸縮ガイド機構５の昇降負荷が大幅に軽減されると共に、前記伸縮ガイド機構５の伸縮摺接部が金属軋み音を発するこもないという効果もある。
【００２３】
なお、上記実施の形態１ではショーケースについて説明したが、その実施の形態１による開閉扉２は、ショーケース以外の例えば建造物の開口部を開閉する開閉装置としても適用可能である。
【図面の簡単な説明】
【００２４】
【図１】この発明の実施の形態１によるショーケースを示す斜視図である。
【図２】図１の縦断側面図である。
【図３】図１の縦断平面図である。
【図４】図３のＡ−Ａ線断面図である。
【図５】動作説明図である。
【符号の説明】
【００２５】
１  ケース本体
２  開閉扉
３  ボックス基台
４  扉出入口
５  伸縮ガイド機構
６  ガイドレール
７  第１のスライド部材
７ａ  縦レール部
８  第２のスライド部材
９，１０  ブラケット
１１  扉開閉駆動機構
１２  電磁ブレーキ付き開閉機
１３  主動スプロケット
１４  水平回転軸
１５  従動スプロケット
１６  伝導チェーン
１７〜２０  プーリ
２１，２２  無端ベルト
２３  接続具
２４，２５  アイドラ
【図１】
2005188144.tif 000003
【図２】
2005188144.tif 000004
【図３】
2005188144.tif 000005
【図４】
2005188144.tif 000006
【図５】
2005188144.tif 000007